【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
式Ｉ、式ＩＩ、または式ＩＩＩ：
【化１】
2011506626.tif 000001
（式中：Ａｒ1は、出現するごとに同種または異種であり、フェニレン、置換フェニレン、ナフチレン、および置換ナフチレンからなる群から選択され；
Ａｒ2は、出現するごとに同種または異種であり、アリール基であり；
Ｍは、出現するごとに同種または異種であり、共役部分であり；
Ｔ1およびＴ2は、出現するごとに独立して同種または異種であり、非平面配置で結合されている共役部分であり；
ａは、出現するごとに同種または異種であり、１〜６の整数であり；
ｂ、ｃ、およびｄは、モル分率であってｂ＋ｃ＋ｄ＝１．０であり、但し、ｃは０ではなく、ｂおよびｄの少なくとも１つは０ではなく、ｂが０の場合には、Ｍは、少なくとも２つのトリアリールアミン単位を含み；
ｅは、出現するごとに同種または異種であり、１〜６の整数であり；
ｎは、１を超える整数である）
で表される化合物。
【請求項２】
第１の電気接触層、第２の電気接触層、およびそれらの間の活性層を含み、前記活性層が、請求項１に記載の化合物を含む、有機電子デバイス。
【手続補正２】
【補正対象書類名】明細書
【補正対象項目名】０２５７
【補正方法】変更
【補正の内容】
【０２５７】
別々の実施形態の状況において、明確にするために本明細書に記載されている特定の複数の特徴は、１つの実施形態の中で組み合わせても提供できることを理解されたい。逆に、簡潔にするため１つの実施形態の状況において説明した種々の特徴も、別々に提供したり、あらゆる副次的な組み合わせで提供したりすることができる。本明細書において明記される種々の範囲内の数値が使用される場合、記載の範囲内の最小値および最大値の両方の前に単語「約」が付けられているかのように近似値として記載されている。この方法では、記載の範囲よりもわずかに上およびわずかに下のばらつきを使用して、その範囲内の値の場合と実質的に同じ結果を得ることができる。また、これらの範囲の開示は、ある値の一部の成分を異なる値の一部の成分と混合した場合に生じうる分数値を含めて、最小平均値と最大平均値との間のすべての値を含む連続した範囲であることを意図している。さらに、より広い範囲およびより狭い範囲が開示される場合、ある範囲の最小値を別の範囲の最大値と一致させること、およびその逆のことが本発明の意図の範囲内となる。
以下、本明細書に記載の発明につき列記する。
１．
式Ｉ、式ＩＩ、または式ＩＩＩ：
【化２】
2011506626.tif 000002
（式中：Ａｒ1は、出現するごとに同種または異種であり、フェニレン、置換フェニレン、ナフチレン、および置換ナフチレンからなる群から選択され；
Ａｒ2は、出現するごとに同種または異種であり、アリール基であり；
Ｍは、出現するごとに同種または異種であり、共役部分であり；
Ｔ1およびＴ2は、出現するごとに独立して同種または異種であり、非平面配置で結合されている共役部分であり；
ａは、出現するごとに同種または異種であり、１〜６の整数であり；
ｂ、ｃ、およびｄは、モル分率であってｂ＋ｃ＋ｄ＝１．０であり、但し、ｃは０ではなく、ｂおよびｄの少なくとも１つは０ではなく、ｂが０の場合には、Ｍは、少なくとも２つのトリアリールアミン単位を含み；
ｅは、出現するごとに同種または異種であり、１〜６の整数であり；
ｎは、１を超える整数である）
で表される化合物。
２．
［Ｔ1−Ｔ2］の構成要素が独立して：
【化３】
2011506626.tif 000003
【化４】
2011506626.tif 000004
（式中：Ｒは、同種または異種であり、アルキル、アリール、アルコキシ、アリールオキシ、フルオロアルキル、フルオロアリール、フルオロアリールオキシ、フルオロアルキルオキシ、オキシアルキル、およびアルケニル基からなる群から選択される）
からなる群から選択される、前記１．に記載の化合物。
３．
Ｒが、Ｃ１〜１０アルキルおよびＣ１〜１０アルコキシからなる群から選択される、前記２．に記載の化合物。
４．
両方のＲ基が互いに連結して非芳香環を形成している、前記２．に記載の化合物。
５．
Ａｒ2が式ａ
【化５】
2011506626.tif 000005
（式中：Ｒ1は、出現するごとに同種または異種であり、アルキル、アルコキシ、およびシリルからなる群から選択され；
ｆは、出現するごとに同種または異種であり、０〜４の整数であり；
ｇは０〜５の整数であり；
ｍは１〜５の整数である）
で表される、前記１．に記載の化合物。
６．
Ａｒ2が、フェニル、ｐ−ビフェニル、ｐ−ターフェニル、ナフチル、フェニルナフチル、およびナフチルフェニルからなる群から選択される、前記１．に記載の化合物。
７．
Ａｒ2が、架橋基を含む置換基を有する、前記１．に記載の化合物。
８．
少なくとも１つのＡｒ2が、アルキル、アルコキシ、およびシリルからなる群から選択される少なくとも１つの置換基を有する、前記１．に記載の化合物。
９．
式ＩＩＩで表され、ｃが少なくとも０．４である、前記１．に記載の化合物。
１０．
Ｍが、架橋性置換基を有する、トリアリールアミン単位および芳香族単位からなる群から選択される、前記９．に記載の化合物。
１１．
化合物Ａ：
【化６】
2011506626.tif 000006
化合物Ｂ：
【化７】
2011506626.tif 000007
化合物Ｃ
【化８】
2011506626.tif 000008
化合物Ｄ：
【化９】
2011506626.tif 000009
化合物Ｅ：
【化１０】
2011506626.tif 000010
化合物Ｆ：
【化１１】
2011506626.tif 000011
化合物Ｇ：
【化１２】
2011506626.tif 000012
化合物Ｈ：
【化１３】
2011506626.tif 000013
化合物Ｉ：
【化１４】
2011506626.tif 000014
化合物Ｊ：
【化１５】
2011506626.tif 000015
化合物Ｋ：
【化１６】
2011506626.tif 000016
化合物Ｌ：
【化１７】
2011506626.tif 000017
化合物Ｍ：
【化１８】
2011506626.tif 000018
化合物Ｍ１：
【化１９】
2011506626.tif 000019
化合物Ｎ：
【化２０】
2011506626.tif 000020
ａ＝０．４〜０．８
ｂ＝０．２〜０．６
化合物Ｏ：
【化２１】
2011506626.tif 000021
ａ＝０．３〜０．７
ｂ＝０．３〜０．７
化合物Ｐ：
【化２２】
2011506626.tif 000022
ａ＝０．８〜０．９５
ｂ＝０．０５〜０．２
化合物Ｑ：
【化２３】
2011506626.tif 000023
化合物Ｒ：
【化２４】
2011506626.tif 000024
化合物Ｓ：
【化２５】
2011506626.tif 000025
化合物Ｔ：
【化２６】
2011506626.tif 000026
化合物Ｕ：
【化２７】
2011506626.tif 000027
化合物Ｖ：
【化２８】
2011506626.tif 000028
化合物Ｗ：
【化２９】
2011506626.tif 000029
化合物Ｘ：
【化３０】
2011506626.tif 000030
および化合物Ｙ１〜Ｙ４
【化３１】
2011506626.tif 000031
からなる群から選択される、化合物。
１２．
第１の電気接触層、第２の電気接触層、およびそれらの間の活性層を含み、前記活性層が、前記１．〜１１．のいずれか一項に記載の化合物を含む、有機電子デバイス。
１３．
前記活性層が、正孔輸送層、および光活性層からなる群から選択される層である、前記１２．に記載のデバイス。
１４．
前記活性層が、光活性材料と、式Ｉ、式ＩＩ、または式ＩＩＩで表される化合物とから実質的になる、前記１２．または１３．に記載のデバイス。
１５．
少なくとも１つのＡｒ1が、アルキル、アルコキシ、シリル、および架橋基を有する置換基からなる群から選択される置換基を有する置換フェニルである、前記１．、１２．、１３．、および１４．のいずれか一項に記載の化合物。